(57)【特許請求の範囲】
【請求項１】
対向する側壁と奥壁とによって三方を囲まれた収納空間内に、奥壁に固定される奥壁取付具と側壁に固定される側壁取付具とで両側壁間と略等しい幅と適当な奥行を有する平面視矩形の棚板を支持する棚ユニットであって、
棚板が、前端に前框が取り付けられ、奥辺を横線材とする格子状に組み付けられた縦線材と横線材とからなるものであり、
奥壁取付具が、貫通孔からなるネジ孔を有して奥壁にあてがわれる取付基部及び棚板の奥辺を支えて支持する支持部と、奥辺に当接して奥辺の前方移動と上方移動を規制する前方規制部と上方規制部とからなるフック体を取付基部から前方に突設した引掛け部とからなるものであり、
側壁取付具が、前後方向に長孔となったネジ孔を有して側壁にあてがわれる取付基部及び棚板の前框を支えて支持する支持部と、前框に当接して前框の後方移動又は前方移動を規制する後方規制部と前方規制部とからなる側面視Ｕ溝体を取付基部から内側方に突設した嵌合部とからなるものであることを特徴とする棚ユニット。
【請求項２】
側壁取付具の嵌合部が、前框に形成された嵌合凹部に係合して前框の側方移動を規制する係合板を後方規制部から前方に突設した側方規制部を有するものである請求項１に記載の棚ユニット。
【請求項３】
側方規制部が、前框の嵌合凹部が入り込んで前框の上方移動を規制する切込溝を係合板に形成した上方規制部を有するものである請求項２に記載の棚ユニット。
【請求項４】
奥壁取付具の支持部の基部付近を後上がりに傾斜させてガイド部とした請求項１〜３いずれかに記載の棚ユニット。
【発明の詳細な説明】
【０００１】
【発明の属する技術分野】
本発明は、クローゼットや押入れ等の収納空間に簡単に取付け、取外しができる棚ユニットに関するものである。
【０００２】
【従来の技術】
この種の棚ユニットとして、例えば、実公平７−４１７８３号公報に示される「押入の中段棚組立ユニット」がある。これは、後框と係合溝を有する前框とを押入内の四隅に位置する柱に釘付し、棚板を前上がりの状態に保持した状態で後端部を後框上に載せ、棚板の後端部を回転中心として前端部を降ろし、棚板の前端部下面に設けた下向きのフック部を前框の係合溝に係合させて前後移動不動としたものである。そして、棚板を上下方向においても固定する場合は框に釘付けしている。
【０００３】
又、特開平２−２１３５６２号公報には、「クローゼット用立体枠の構造」が示されている。これは、前縦枠材と側面の上下方向に複数の取付け孔を設けた後縦枠材との上部間と下部間とに横枠材を架設して構成した枠体を対向して立設し、側面の上下方向に複数の取付け孔を設けた中縦枠材を上下横枠材の前後方向の任意位置に取り付け、中縦枠材と後縦枠材の取付け孔に支持金具の係止片部を引っ掛け係止して取り付け、支持金具にビスを用いて棚板を固着するものである。
【０００４】
【発明が解決しようとする課題】
前者のものは、棚板の前端部を前框に係合させて前後移動不動としているが、棚板の後端部は単に後框上に載置されているだけなので、収納物品の積み卸し時の衝撃或いは地震時の振動によって棚板が上下し、損傷したり脱落したりする虞がある。この際、前端部の係合部は、その係合深さを大きくしたり、きつく係合させることで、脱落し難くすることは可能であるが、後端部については、後框に釘付けしたり、ビス止めする必要がある。
【０００５】
従って、脱落を完全に抑えるには、前端部も前框に釘付けやビス止めするしかないが、そうすると、施工に手間がかかるし、棚が不用になった際の棚板の取外しに難渋する。結局、このように、棚板を框に釘付けやビス止めするのであれば、棚板の前後移動を防ぐための係合手段はあまり意味のないものになってしまい、部材コストのみを高めるものになってしまう。又、このものは、収納空間の幅（開口寸法）の施工誤差には対応できないから、現場合わせとなって施工に熟練を要する。
【０００６】
一方、後者のものは、棚板は支持金具に対してビス止めされているので、衝撃や振動によって棚板や框が損傷したり脱落する虞はないが、棚板の支持金具への固定作業に加えて立体枠の組付け作業が必要である。この場合、支持金具を壁に直付けすることで、立体枠を不用とすることも考えられるが、やはり、棚板を支持金具へ固定する作業と支持金具を壁に固定する作業とが別々に必要になる。又、このものも、開口寸法の施工誤差には対応できないものとなっている。
【０００７】
本発明は、このような課題を解決するものであり、収納空間への取付けが容易であるとともに、棚板が確実に固定され、しかも、収納空間の幅や奥行きの誤差にも対応できる棚ユニットを提供するものである。
【０００８】
【課題を解決するための手段】
以上の課題の下、本発明は、対向する側壁と奥壁とによって三方を囲まれた収納空間内に、奥壁に固定される奥壁取付具と側壁に固定される側壁取付具とで両側壁間と略等しい幅と適当な奥行を有する平面視矩形の棚板を支持する棚ユニットであって、
棚板が、前端に前框が取り付けられ、奥辺を横線材とする格子状に組み付けられた縦線材と横線材とからなるものであり、
奥壁取付具が、貫通孔からなるネジ孔を有して奥壁にあてがわれる取付基部及び棚板の奥辺を支えて支持する支持部と、奥辺に当接して奥辺の前方移動と上方移動を規制する前方規制部と上方規制部とからなるフック体を取付基部から前方に突設した引掛け部とからなるものであり、
側壁取付具が、前後方向に長孔となったネジ孔を有して側壁にあてがわれる取付基部及び棚板の前框を支えて支持する支持部と、前框に当接して前框の後方移動又は前方移動を規制する後方規制部と前方規制部とからなる側面視Ｕ溝体を取付基部から内側方に突設した嵌合部とからなるものであることを特徴とする棚ユニット。
を提供したものである。
【０００９】
以上の棚ユニットは、次のようにして組み付けられる。まず、奥壁取付具を適当な位置に取り付けるとともに、側壁取付具を棚板の前端付近を目標にして仮締めしておく。次に、これら奥壁取付具と側壁取付具に棚板を載せ掛けるのであるが、このとき、最初に棚板の奥辺を奥壁取付具のフック体に嵌入し、次いで棚板の前框を側壁取付具の嵌合部のＵ溝体に落とし込む。この状態のとき、棚板の奥辺は、奥壁取付具の前方規制部と上方規制部とでしっかりと規制され、前框は、Ｕ溝体の後方規制部に当接した状態になるよう、側壁取付具の前後位置を調整して本締めする。
【００１０】
このような作業によって棚板は取り付けられるから、取付けが簡単であるし、熟練も必要としない。この場合において、棚板の奥辺は、奥壁取付具の前方規制部と上方規制部とによって前方移動と上方移動とが規制され、棚板の前框は、側壁取付具の嵌合部に形成されるＵ溝体に嵌合されてその後方規制部に当接しているから、衝撃や振動が付与されたときにも上方に抜け出て脱落したりしない。一方、棚板に物を載せると、棚板はその重量によってたわみ、中央側に引っ張られるが、以上の構成は、前後方向の引張力にも対抗するものとなる。又、前框と嵌合部との重合代に余裕を持たせておくと、収納空間の開口寸法に施工誤差があっても、これに対応できるものとなるから、予め工場生産された統一寸法の棚板が使用できる。更に、前方規制部は、側壁と前框との隙間隠しの役割を兼ねるものとなる。
【００１１】
更に、本発明は、以上の側壁取付具の嵌合部が、前框に形成された嵌合凹部に係合して前框の側方移動を規制する係合板を後方規制部から前方に突設した側方規制部を有する手段、更に、この側方規制部が、嵌合凹部が入り込んで前框の上方移動を規制する切込溝を係合板に形成した上方規制部を有する手段を提供する。このような側方規制部を設けることにより、棚板の上に物を載せたときの重量によって棚板がたわみ、内側方に引っ張られようとする力に対抗し、棚板の脱落防止を大幅に高める。又、上方規制部を設けることにより、衝撃や振動による上方への抜出が確実に防止される。
【００１２】
【発明の実施の形態】
以下、本発明の実施の形態を図面を参照して説明する。図１は本発明の一例を示す棚ユニットの下方斜視図であるが、この棚ユニットは、対向する側壁１と奥壁２とによって三方を囲まれた収納空間３に取り付けられるものであり、その構成は、奥壁２に固定される奥壁取付具４と、側壁１に固定される側壁取付具５と、これら奥壁取付具４と側壁取付具５とで支持される棚板６とからなる。
【００１３】
図２は奥壁取付具４の下方斜視図であるが、奥壁取付具４は、貫通孔からなるネジ孔７を有して奥壁２にあてがわれる取付基部８及び棚板６の奥辺を支えて支持する支持部９と、奥辺に当接して奥辺の前方移動と上方移動を規制する前方規制部１０と上方規制部１１とからなるフック体を取付基部８から前方に突設した引掛け部１２とからなる。このような奥壁取付具４を奥壁２の棚板６を取り付けようとする高さに適当間隔を置いて配し、ネジ孔７にネジ１３を差し込んで固定する。
【００１４】
図３は側壁取付具５の下方斜視図であるが、側壁取付具５は、前後方向に長孔となったネジ孔１４を有して側壁１にあてがわれる取付基部１５及び棚板６の前框を支えて支持する支持部１６と、前框に当接して前框の後方移動又は前方移動を規制する後方規制部１７と前方規制部１８とからなる側面視Ｕ溝体を取付基部１５から内側方に突設した嵌合部１９とからなる。尚、本例のものは、後方規制部１７の前方に取付基部１５と平行な係合板を突設させてこれを側方規制部２０としている。このような側壁取付具５を棚板６を取り付けようとする高さの両側壁１に、棚板６の前框が位置する辺りを目標にしてネジ孔１４にネジ１３を通して固定する。但し、側壁取付具５の取付位置は、棚板６を現物合わせで決める必要はない。棚板６は、工場生産された規格品であるし、前方規制部１８と後方規制部１７の間隔は、棚板６の製造誤差を吸収可能に設定してあるから、予め設定された側壁１の位置に取り付ければよいからである（奥壁取付具４も同様）。
【００１５】
図４は棚板６の下方斜視図であるが、棚板６は、適当間隔に配した縦線材２１に適宜横線材を２２を組み付けて格子状にしたものである。この場合、横線材２２は縦線材２１の下面に配して縦線材２１の上面を平坦にしている。物を置くときに置き易くするためである。このように棚板６を格子状としたのは、軽量化に加えて、埃等を溜めないためと、空気の流通を図るためである。棚板６の前端には、Ｃ形鋼等からなる前框（幕板）２３を取り付けてこれを前辺としている。具体的には、Ｃ形鋼の底面を前方に向け、側面の一方を縦線材２１に溶接等で固定して他方を垂らしたものである。尚、本例の前框２３には、側壁取付具５の側方規制部２０の係合板に係合する係合凹部２４が側方規制部２０よりもかなりの余裕を持った幅で形成されている。棚板６及び開口幅の寸法誤差を吸収するためである。
【００１６】
棚板６の後端には、横線材２２を配してこれを奥辺２５としている。この場合、奥辺２５の上方に在る縦線材２１の端部は、上部を面取りして着脱時における奥壁２との干渉を避けている。この他、棚板６には、組付け後、ポリエチレンコーティングやクロムメッキ等を施して防錆と装飾を図っている。横線材２２の数は、強度を保持する範囲で適当でよく、本例では、奥辺２５の他に二つが設けられている。このうちの一つは適宜縦格子２６ａで補強されて何個かに区切られた長方形をしたハンガー掛け２６に構成してある。
【００１７】
次に、以上の棚ユニットの組付けについて説明する。図５はこの組付け状態（調整前）を示す断面図、図６は調整後の下方斜視図であるが、前記した要領によって奥壁取付具４と側壁取付具５をそれぞれ奥壁２と側壁１に取り付け、次いで、棚板６の奥辺２５をフック体をしている奥壁取付具４の引掛け部１２の開口部に上から嵌め込む。そして、奥辺２５を回転中心として前框２３を下方に降ろしてＵ溝体をしている側壁取付具５の嵌合部１９に嵌め込む。この場合、嵌合部１９の後方規制部１７と前方規制部１８の高さは前框２３の高さと同じ程度にするとともに、両者の間隔は前框２３の前後幅よりもある程度広くしてある。そして、前框２３の後部が嵌合部１９の後方規制部１７に当たるまで側壁取付具５を前方に動かし（ネジ孔１４が前後に長孔になっているから、このことが可能である）、この位置で側壁取付具５を本締めする。
【００１８】
この状態になると、棚板６の奥辺２５は、引掛け部１２の前方規制部１０と上方規制部１１とに当接して前方移動と後方移動が規制されるものとなり、前框２３は、嵌合部１９の後方規制部１７に当接するとともに、側方規制部２０が嵌合凹部２４に係合した状態となっている。従って、奥辺２５は前方移動及び上方移動が規制され、前框２３は、後方移動及び上方移動並びに側方移動が規制されるものとなるから、棚板６の上に載せられる物の重量に耐える（棚板６の脱落防止を大幅に高める）とともに、衝撃や振動があっても、上方に抜出できないものとなる。
【００１９】
尚、この場合において、奥壁取付具４の支持部９の基部付近を後上がりに傾斜させるてガイド９ａとしておくと、奥辺２５の支持部９への納まりが良いし、施工時に不意に外れたりするのを防止できる。前框２３の底部は、側壁取付具５の嵌合部１９の底面を形成する支持部１６で支持されているが、このとき、嵌合部１９の後方規制部１７の上端を縦線材２２の厚みだけ欠落させておき、縦線材２１が嵌合部１９内に納まり、且つ、後方規制部１７と前方規制部１８に直角になる（棚板６が水平になる）ようにしている。
【００２０】
図７は本発明の他の例を示す側壁取付具５の下方斜視図、図８はこの側壁取付具５で前框２３を支持したとき（調整後）の下方斜視図、図９は同じく調整前の断面図であるが、本例のものは、側方規制部２０を形成する係合板の前部に前框２３の嵌合凹部２４が入り込む切込溝からなる上方規制部２７を形成したものである。これによると、前框２３は上方規制部２７に係合して上方移動が完全に規制されるから、衝撃や振動による上方抜出とこれに基づく脱落がより完全に防止される。又、前框２３の後端を必ずしも後方規制部１７に当接しておく必要がなくなり、側壁取付具５の取付位置の精度が緩和される。
【００２１】
図１０は本発明の更に他の例を示す棚板６の下方斜視図、図１１はこれを構成する連結部材２８の下方斜視図、図１２は要部の拡大斜視図であるが、本例のものは、連結部材２８によって棚板６を横に連結式としたものである。連結部材２８は、棚板６の接合部を下から支える支え具２９と、支え具２９を奥壁２に支えるステー３０とからなるものであり、このうち、支え具２９は、接合部の下面に沿う帯体２９ａをしており、前端に前框２３を嵌め込んで支える凹陥部２９ｂが、後端に奥壁２にあてがわれてネジ１３等で止められる取付基部２９ｃが形成されたものである。又、凹陥部２９ｂと取付基部２９ｃの近くには、下向きに形成された係合溝３１ａに隣接する縦線材２１を嵌め込んで帯体２９ａの上面に締着される連結具３１が設けられている。この場合における連結具３１の締着は、棚板６を前方に引き寄せて奥辺２５を引掛け部１２に引っ掛けた状態で行なう。
【００２２】
これに対してステー３０は、前端が帯体２９ａの前部寄り下面に固着されて後端に奥壁２にあてがわれてネジ１３等で止められる取付基部３０ａが形成されたものである。このように棚板６を連結式にすれば、棚板６の幅寸法のバリエーションを減らしてコストが下げられる。又、取扱いが楽になるから、一人でも施工できる。
【００２３】
【発明の効果】
以上、本発明に係る棚ユニットによれば、収納空間の側壁と側壁とにそれぞれ奥壁取付具と側壁取付具を取り付け、その上に棚板を載せ掛ければよいから、施工が簡単で熟練を要しない。加えて、棚板ユニットが不要になったときには、簡単に取り外せる。又、棚板に対する奥壁取付具と側壁取付具の係着は、棚板がそれぞれ上方及び前後移動が規制される構造であるから、収納物を積み卸しする際の衝撃や地震等の振動によっても、棚板が脱落したりしない。
【図面の簡単な説明】
【図１】棚ユニットの組付け状態の一例を示す下方斜視図である。
【図２】奥壁取付具の一例を示す下方斜視図である。
【図３】側壁取付具の一例を示す下方斜視図である。
【図４】棚板の一例を示す下方斜視図である。
【図５】棚ユニットの組付け状態の一例を示す断面図である。
【図６】棚ユニットの組付け状態の一例を示す下方斜視図である。
【図７】側壁取付具の他の一例を示す下方斜視図である。
【図８】側壁取付具の他の一例を示す下方斜視図である。
【図９】側壁取付具の他の一例を示す断面図である。
【図１０】棚板の他の一例を示す下方斜視図である。
【図１１】棚板を構成する連結部材の下方斜視図である。
【図１２】棚板を構成する連結部材の拡大下方斜視図である。
【符号の説明】
１    側壁
２    奥壁
３    収納空間
４    奥壁取付具
５    側壁取付具
６    棚板
７    ネジ孔
８    取付基部
９    支持部
９ａ  ガイド部
１０  前方規制部
１１  後方規制部
１２  引掛け部
１４  ネジ孔
１５  取付基部
１６  支持部
１７  後方規制部
１８  前方規制部
１９  嵌合部
２０  側方規制部
２１  縦線材
２２  横線材
２３  前框
２４  嵌合凹部
２５  奥辺
２７  上方規制部
【図１】
0004165962.tif 000002
【図２】
0004165962.tif 000003
【図３】
0004165962.tif 000004
【図４】
0004165962.tif 000005
【図５】
0004165962.tif 000006
【図６】
0004165962.tif 000007
【図７】
0004165962.tif 000008
【図８】
0004165962.tif 000009
【図９】
0004165962.tif 000010
【図１０】
0004165962.tif 000011
【図１１】
0004165962.tif 000012
【図１２】
0004165962.tif 000013